(57)【要約】【課題】室内側のサムターン摘みを「レバー式操作部材」に代えた錠前に対して、レバー式操作部材用のロック手段を設けること。【構成】内端部がダルマに係合すると共に該ダルマと共に共働回転する回転軸部材と、この回転軸部材に嵌合する嵌合部を有すると共に長杆状に形成された室内側の操作レバーとを含み、該操作レバーの揺動操作により前記ダルマを施錠及び解錠方向へそれぞれ回転させることができる錠前に於いて、回転軸部材の外端部と操作レバーの基端部にロック片を介在させ、錠前の施錠時、該ロック片は外端部の被嵌合部の係合突起と係合すると共に、操作レバーの基端部に形成された切欠係合部に係入し、一方、操作レバーに前記ロック片用のロック解消手段を設け、該ロック解消手段は、操作レバーに設けられた入力ボタンと、該入力ボタンの入力に基づいて位置変位しかつロック片を切欠係合部から押し出すことができるように該操作レバーに設けられた作動杆とから成る錠前。【選択図】図７
2011179240.tif 000002
【特許請求の範囲】
【請求項１】
内端部がダルマに係合すると共に該ダルマと共に共働回転する回転軸部材と、この回転軸部材に嵌合する嵌合部を有すると共に長杆状に形成された室内側の操作レバーとを含み、該操作レバーの揺動操作により前記ダルマを施錠及び解錠方向へそれぞれ回転させることができる錠前に於いて、前記回転軸部材の外端部と前記操作レバーの基端部にロック片を介在させ、錠前の施錠時、該ロック片は前記外端部の被嵌合部の係合突起と係合すると共に、前記操作レバーの基端部に形成された切欠係合部に係入し、一方、前記操作レバーに前記ロック片用のロック解消手段を設け、該ロック解消手段は、前記操作レバーに設けられた入力ボタンと、該入力ボタンの入力に基づいて位置変位しかつ前記ロック片を前記切欠係合部から押し出すことができるように該操作レバーに設けられた作動杆とから成る錠前。
【請求項２】
請求項１に於いて、錠前はダルマと係合するシリンダ錠を備え、該シリンダ錠の鍵穴に合鍵を差し込んで該ダルマを解錠方向へ回転操作すると、回転軸部材がダルマと共に解錠方向へと共働回転し始め、該共働回転の初期段階の時、被嵌合部の外面に設けられた係合突起がロック片の傾斜状受け面と連設する底面に潜り込んでロック片を前記係合部から押し出すことを特徴とする錠前。
【請求項３】
請求項２に於いて、回転軸部材は、ダルマに係合する軸部と、該軸部の外端部に一体的に設けられた円盤状被嵌合部とから成り、この円盤状被嵌合部に形成された嵌合凹所に、一端部が該嵌合凹所の内面に支持され、一方、他端部が前記嵌合凹所に嵌合する操作レバーの弧状嵌合部分の端面に支持されるロック状態解消用のタイミング調整バネが組み込まれていることを特徴とする錠前。
【請求項４】
請求項１に於いて、ロック解消手段の入力ボタンの頭部は、操作レバーの自由端部の側壁に形成された開口から露呈していると共に、該入力ボタンの頭部に連結する係合内端部の上面は、操作レバーに内装された作動杆の下端部を押し上げることができるように傾斜状に形成されていることを特徴とする錠前。
【発明の詳細な説明】
【技術分野】
【０００１】
本発明は、マンションや一戸建て住宅の玄関先などのドアに設置される錠前に関し、特に、室内側のサムターン摘みを「レバー式操作部材」に代えた錠前に関する。
【背景技術】
【０００２】
特許文献１には、バリアフリーを重視し、指が不自由な人であっても、室内側操作部材を容易に操作することができることを目的として、「扉の内壁面に固定的に取付けられる操作箱と、扉に取付けられた錠箱内のダルマに直接又は間接的に係合する回転軸と、この回転軸に対して内端部が固定的に取付けられ、一方、外端部が前記操作箱の周方向の側壁に形成した切欠部を介して外部に突出する操作レバーと、この操作レバーの前記外端部に指或いは手を宛がいながら押圧操作すると、前記回転軸が施錠方向又は解錠方向へ回転する錠前の室内側操作機構」が記載されている。
【０００３】
上記特許文献１の錠装置の問題点は、操作レバーをロックするロック機構（ロック手段）を設けていないので、外部からの針金等を用いた不正解錠行為に対応することができないことである。そこで、「内端部がダルマ３に係合すると共に該ダルマと共に共働回転する回転軸部材と、この回転軸部材に嵌合する嵌合部を有すると共に長杆状に形成された室内側の操作レバーとを含み、該操作レバーの揺動操作により前記ダルマを施錠及び解錠方向へそれぞれ回転させることができる錠前」に対して、防犯対策を講じることが期待されている。
【先行技術文献】
【特許文献】
【０００４】
特開２００８−１５０８５０号公報
【発明の概要】
【発明が解決しようとする課題】
【０００５】
本発明の所期の目的は、室内側のサムターン摘みを「レバー式操作部材」に代えた錠前であっても、侵入者が操作レバーを外部からの針金等を用いた不正な解錠行為をした場合、サムターン摘みに相当する操作レバーを自由に回転できないようにし、いわゆる防犯サムターンと同様の効果を得ることである。第２の目的は、室外からシリンダ錠に合鍵を差し込み、錠前を解錠する際、ロック片を確実に移動させることである。第３の目的は、操作レバーを片手に握る、或いは手で掴みながら施・解錠することができることである（操作性の向上）。
【課題を解決するための手段】
【０００６】
本発明の錠前は、内端部がダルマに係合すると共に該ダルマと共に共働回転する回転軸部材と、この回転軸部材に嵌合する嵌合部を有すると共に長杆状に形成された室内側の操作レバーとを含み、該操作レバーの揺動操作により前記ダルマを施錠及び解錠方向へそれぞれ回転させることができる錠前に於いて、前記回転軸部材の外端部と前記操作レバーの基端部にロック片を介在させ、錠前の施錠時、該ロック片は前記外端部の被嵌合部の係合突起と係合すると共に、前記操作レバーの基端部に形成された切欠係合部に係入し、一方、前記操作レバーに前記ロック片用のロック解消手段を設け、該ロック解消手段は、前記操作レバーに設けられた入力ボタンと、該入力ボタンの入力に基づいて位置変位しかつ前記ロック片を前記切欠係合部から押し出すことができるように該操作レバーに設けられた作動杆とから成ることを特徴とする。
【発明の効果】
【０００７】
（ａ）操作レバーを外部からの針金等を用いた不正解錠行為に対して、サムターン摘みに相当する操作レバーを自由に回転させないようにし、いわゆる防犯サムターンと同様の効果を得ることができる。
（ｂ）請求項２及び請求項３記載の発明は、室外からシリンダ錠に合鍵を差し込み、錠前を解錠する際、ロック片が確実にロック状態を解消する方向へ後退動する。
（ｃ）請求項４に記載の発明は、操作レバーを握ったまま入力ボタンを押すと、操作レバーの作動杆の位置変位によりロック片のロックを解くことが可能になる。したがって、簡単な構成により、操作性の向上を図ることができる。
【図面の簡単な説明】
【０００８】
図１乃至図１２は本発明の一例を示す各説明図。
【図１】全体の実施環境を示す概略断面説明図。
【図２】操作レバーの動きの範囲を示す説明図（ケース有り）。
【図３】主要部の室内側から見た斜視図（ケースの切欠部の箇所も示す）。
【図４】要部の室内側から見た正面視（ケースを省略）。
【図５】右側面視から見た主要部の斜視図。
【図６】右側面視から見た概略断面説明図。
【図７】主要部の分解斜視図。
【図８】要部（被嵌合部、嵌合部、係合突起、ロック片等）の説明図。
【図９】要部（図８で示した各部材の組み合わせ状態）の説明図。
【図１０】要部（ロック片とロック解消手段）を斜視で示した説明図。
【図１１】主要部の作用を概念的に示した説明図。
【図１２】ロック解消時の説明図。
【発明を実施するための最良の形態】
【０００９】
以下、図１乃至図１２に示す一実施例により本発明を詳細に説明する。
【００１０】
（１）環境部材
まず、図１を参照にして、本発明の環境部材を説明する。１は玄関扉、室内のトイレ扉などのように水平方向に回転する開閉体である。１ａは扉の内壁面、１ｂはその外壁面である。周知のように、扉１の自由端部の切欠部内には錠箱２が固定的に組み込まれ、その不番のフロントからはデッドボルトが出没する。錠箱２内には施・解錠機構を構成するダルマ３が設けられている。周知のように、ダルマ３は、扉の外壁面１ｂに設けられたシリンダ錠４によって機械的に、又はケース内に配設された図示しない電動モータによって電気的に回転する。付言すると、ダルマ３は、例えば図示しない合鍵をシリンダ錠４の鍵穴に差込み、施錠又は解錠方向へ回転する。そして、ダルマ３が回転すると、その駆動腕により、デッドボルト５がフロントから突出し（施錠状態）、又は引っ込む（解錠状態）。なお、ダルマ３は、錠箱２に一体成形された軸受け、又は錠箱２に組み付けられた一組の軸受けを介して回転可能に支持されている。
【００１１】
（２）主要部に関連する部材
次に、図１を参照にして、主要部に関係する部材について説明する。図１のダルマ３の右側壁と扉１の内壁面１ａの間に位置しているのが筒状支持体である。この筒状支持体６は室内側の内壁面１ａに形成した不番の開口部及び錠箱２に形成した不番の開口部に固定的に嵌め込まれている。
【００１２】
付言すると、筒状支持体６は、筒状に形成された固定筒であり、錠箱２及び扉１の各開口部に嵌め込まれ状態で扉１の内部に位置している。この支持体６の内端部の形状は、図示しないダルマ用の軸受けの位置を考慮して適宜に形成されている。また、筒状支持体６の側壁部には、複数個の不番のメネジが周方向に所定間隔有して形成され、これらのメネジには、ケース固定用の固着具９が螺合する。また、支持体６の中央部には貫通状の支持孔１０が形成され、該支持孔１０に回転軸部材１７の内端部が嵌合している。
【００１３】
また、本発明の本質的事項（限定要件）ではないが、扉１の内壁面１ａには、本発明の主要部の一部を包むケース８が固定されている。ケース８は、扉１の内壁面１ａに不番の固着具を介して固定される取付けベース板８ａと、この取付けベース板８ａに取り外し可能に固定される本体ケース８ｂとから成る。なお、取付けベース板８ａを本体ケースにし、一方、本体ケース８ｂを蓋体にするか否かは設計変更上の問題である。
【００１４】
本実施例では、本体ケース８ｂの周方向の側壁（以下、「周壁」という。）１１の下部に周方向の切欠部１２を形成している。切欠部１２の位置は特に限定するものではないが、望ましくは、図３で示すように切欠部１２が操作者の視覚に極力訴えないようにケース８の周壁１１の下部に形成する。
【００１５】
一方、前記取付けベース板８ａの中央部（中央部寄りの部位も含む）には、回転軸用の貫通孔１３が形成されている。また、ケース８は、所要の内部空間１４を有している。また、ケース８の正面側壁には、図２で示すように錠前の施・解錠状態を示す識別情報（例えば開、閉）が付されていると共に操作レバー用の開口が形成されていない。
【００１６】
（３）主要部―回転軸部材１７
以下、本発明の主要部を図面と共に説明する。特許文献１には、前述したように、「内端部がダルマ３に係合すると共に該ダルマと共に共働回転する回転軸部材１７と、この回転軸部材に嵌合する嵌合部を有すると共に長杆状に形成された室内側の操作レバー３１とを含み、該操作レバーの揺動操作により前記ダルマ３を施錠及び解錠方向へそれぞれ回転させることができる錠前Ｘ」が記載されている。本発明は、例えばこの特許文献１の前記構成を前提とする。
【００１７】
そこで、本発明の主要部（特徴事項）は、前記回転軸部材１７の外端部（被嵌合部）２０と前記操作レバー３１の基端部３１ａにロック片を介在させ、錠前の施錠時、該ロック片４１は前記外端部の被嵌合部に設けられた係合突起と係合すると共に、前記操作レバーの基端部に形成された切欠係合部３４に係入し、一方、前記操作レバーに前記ロック片用のロック解消手段４５を設け、該ロック解消手段は、前記操作レバーに設けられた入力ボタン４６と、該入力ボタンに入力に基づいて操作レバーの長手方向へ位置変位しかつ前記ロック片を前記係合部から押し出すことができるように該操作レバーに設けられた作動杆４７とから成る。
【００１８】
しかして、回転軸部材１７は、本実施例では、図１で示すように、第１回転軸１８（操作レバー側）と、この第１回転軸１８に嵌合状態で連結された第２回転軸１９（ダルマ側）とから成り、前記第１回転軸１８の外端部には円盤状の被嵌合部２０が設けられている。この円盤状被嵌合部２０は、第１回転軸１８の外端部に一体成形しても良いし、又は、中心孔を有する円盤状部材を第１回転軸１８とは別個に成形し、該円盤状部材（被嵌合部）の中心孔に前記第１回転軸１８の外端部を固定的に嵌挿しても良い。
【００１９】
回転軸部材１７はダルマ側の第２回転軸１９が取付けベース板８ａの貫通孔１３を貫通し、一方、第２回転軸１９と同軸上の第１回転軸１８の外端部及び円盤状被嵌合部２０は、ケース８の内部空間１４に位置している。したがって、回転軸部材１７は、ダルマ３に直接又は間接的に係合する軸部１８、１９と、該軸部の外端部に一体的に設けられた円盤状被嵌合部２０とから成る。
【００２０】
ところで、例えば図７、図８で示すように、円盤状の被嵌合部２０の外面には、第１回転軸１８の軸端部１８ａを中心として、その同心円上に嵌合凹所２１が形成されている。この嵌合凹所２１は、後述する操作レバーの基端部の内側に突設した嵌合部の形状に対応するように、径が小さい円形嵌合部分２１ａと、この円形嵌合部分２１ａよりも径が大きい半円弧嵌合部分２１ｂとから成り、前記半円弧嵌合部分２１ｂは、周方向に所定間隔を有して対向する第１受け面（又は押圧面）２３と、第２受け面（又は押圧面）２４とを有している。さらに、円盤状の被嵌合部２０の外面には、非嵌合凹所２１以外の適宜箇所、例えば半円弧嵌合部分２１ｂの反対側の外面にピン状の係合突起（杵）２５が設けられている。この係合突起２５は、後述するロック片と共に操作レバー用のロック機構（ロック手段）を構成する。
【００２１】
（４）主要部―操作レバー３１
操作レバー３１は中空３２の長尺部材である。例えば縦断面の図６参照にすると、Ｘ−Ｘ軸方向の横幅は短く、Ｙ−Ｙ軸方向の縦幅が長い。操作レバー３１の垂直方向の長さや水平方向の長さは特に限定するものではないが、本発明は特許文献１を前提にして創作したものであることから、操作性を考慮しながら片手に握る、或いは手で掴むことができるように長杆状に形成されていれば十分である。
【００２２】
さて、例えば図７を参照にすると、符号３１ａは操作レバー３１の基端部で、この基端部３１ａのやや弧状上壁には、中空（内部空間）３２に連通する小孔３３が形成されている。また、操作レバー３１の基端部３１ａには前記小孔３３を基準として、基端部３１ａの一部を形成する前記弧状上壁にロック片用の切欠係合部３４が形成されている。
【００２３】
また、操作レバー３１の基端部３１ａの内側には回転軸部材１７の円盤状被嵌合部２０に嵌合する突起状の嵌合部３６が設けられている。しかして、前記嵌合部３６は、例えば図８で示すように、軸孔３７を有する円環状部分３８と、この円環状部分に半径外方向に連設形成されかつ回転軸部材１７の半円弧嵌合部分２１ｂと同様の曲率面を有する弧状部分３９とから成り、前記弧状部分３９は、前述した円盤状被嵌合部２０の第１受け面２３と対向する第１当り面（又は受け面）３９ａと、円盤状被嵌合部２０の第２受け面２４と対向する第２当り面（又は受け面）３９ｂとを有している。
【００２４】
そして、本実施例では、円盤状被嵌合部２０に形成された嵌合凹所２１に、一端部が該嵌合凹所２１の内面（例えば第１受け面２３）に支持され、一方、他端部が前記嵌合凹所２１に嵌合する操作レバーの弧状嵌合部分３９の端面（例えば第１当り面３９ａ）にサンドイッチ状に支持されるロック状態解消用のタイミング調整バネ４０が組み込まれている。
【００２５】
一方、符号３１ｂは操作レバー３１の自由端部で、この自由端部３１ｂの下端部（下端部寄りの部位も含む）の周壁の適宜箇所には、開口部３５が形成されている。また、横方向には、例えば不番の水平案内長孔が設けられている。その他の細部的事項の説明は割愛する。
【００２６】
（５）主要部―ロック片４１
ロック片４１は、段差状（例えば一端面Ｌ字形状）の金属製ブロック片であり、例えば図６で示すように、ケース８の内部に設けられたバネ端支持壁部或いはバネ端支持部４２に上端部（一端部）が支持された付勢手段４３の付勢力或いは反発力により、常時、幅広の下端部が操作レバー３１の基端部３１ａの切欠係合部に係入する。そして、ロック片４１はその下端部に傾斜状受け面４１ａと連設する底面４１ｂを有している。なお、特に図示しないが、前記付勢手段４３に代えて、「永久磁石」をバネ端支持壁部或いはバネ端支持部４２に固定しても良い。
【００２７】
（６）主要部―ロック解消手段４５
ロック解消手段４５は、操作レバー３１に内設されている。各図を参照にすると、ロック解消手段４５の具体的構成を理解することができるが、ロック解消手段４５は、例えば前記操作レバー３１の下端部に水平動可能に設けられた入力ボタン４６と、該入力ボタンに入力に基づいて操作レバー３１の長手方向（本実施例では上下方向）へ位置変位しかつロック片４１を、図７で示すように、付勢手段４３の付勢力に抗して、或いは極性の反発力に抗して切欠係合部３４から押し出すことができるように該操作レバーの内部空間に設けられた作動杆４７とから成る。
【００２８】
そして、前記入力ボタン４６は、内設の第１バネ４８に常時外方向に付勢され、その頭部４６ａは、操作レバー３１の自由端部３１ｂの側壁に形成された切欠状開口部３５から一部露呈している。また、前記作動杆４７の下端部４７ａは、入力ボタン４６の頭部４６ａに連結する係合内端部４６ｂの傾斜状上面に支持され、かつ、その長尺状の大径部に連設する小径先端部４７ｂには、内設の第２バネ４９が巻装されている。したがって、長尺状の作動杆４７は、操作レバー３１の上壁の内面に支持された前記第２バネ４９により、常時、下方方向へ付勢されている。なお、入力ボタン４６の側壁には、操作レバー３１の水平長孔（水平案内部）と係合するガイド突起５０が設けられている。
【００２９】
（７）作用
ロック片４１が、図１１乃至図１２で示すように、付勢手段４３の付勢力に抗して、或いは極性の反発力に抗して切欠係合部３４から押し出される（後退動）する場合は、「シリンダ錠４側」からの場合と、「操作レバー３１側」からの場合とがある。
【００３０】
まず、前者の場合を説明すると、シリンダ錠３１の鍵穴に図示しない合鍵を差し込んでダルマ３を解錠方向へ回転操作すると、回転軸部材１７がダルマ３と共に解錠方向へと共働回転し始め、該共働回転の初期段階の時、被嵌合部２０の外面に設けられた係合突起２５がブロック状のロック片４１の傾斜状受け面４１ａを押し上げながら、底面４１ｂに潜り込む。したがって、「駆動側の係合突起２５と従動側のロック片４１とを含むロック機構」は、室外から合鍵の操作力によって、そのロック状態が解かれる。図１２の（ａ）乃至（ｃ）は、その一例の流れを示し、（ａ）は係合突起２５がロック片４１の傾斜状受け面４１ａを押圧している状態、（ｂ）は係合突起２５がロック片４１の底面に入り込む状態、（ｃ）は、係合突起２５が前記底面に完全に潜りこんで位置変位している状態をそれぞれ示す。ところで、本実施例では、必ずしも発明の限定要件ではないが、望ましくは、ロック状態解消用のタイミング調整バネ４０によって、操作レバー３１が多少遅れてから回転するように工夫をしている。付言すると、前記（ｂ）の状態を保持してから、例えば一方の面２３が調整バネ４０を介して他方の面３９ａを押圧するようにしている。これにより、ロック片４１のロック状態を確実に解くことができる。
【００３１】
一方、後者の場合には、操作レバー３１の自由端部を、例えば握りながら入力ボタン４６の頭部４６ａを、第１バネ４８のバネ力に抗してプッシュする。そうすると、操作レバー３１は入力ボタン４６の係合内端部４６ｂの傾斜状上面４６ｃによって持ち上げられ、第２バネ４９のバネ力に抗して所定量上昇する。操作レバー３１が上昇すると、その先端部４１ｂがロック片４１の下端部の底面４１ｂを押し上げるので、ロック片４１は付勢手段４３の付勢力に抗して、或いは極性の反発力に抗して切欠係合部３４から離れる。そこで、操作レバー３１を、図２で示すように、握りながら所定の角度まで回すことができる。
【実施例】
【００３２】
本実施例では、ロック解消手段４５の長尺状の作動杆４７は、自重で下降するので、その第２バネ４９は発明の特定事項ではない。また、作動杆４７の上端部４７ｂは、その下端部４７ａ側によりも小径であるが、ロック片４１を安定的に押し上げるために、操作レバー３１の上壁の小孔３３を貫通する小径先端部４７ｂの端部にロック片４１の底面４１ｂと面接触する押し上げ板（図示しない）を一体的に設けても良い。また、ロック片４１を後退動させる手段や元の位置へと戻す手段は、任意に設計変更可能である。さらに、電動サムターンは公知事項であるが特許文献１に記載の如く、ケース８の中に、駆動モータ、伝動歯車、伝動歯車に噛合する動力伝達手段、前記駆動モータを制御する制御回路を有する制御手段、受信部等を設け、電動で回転軸部材１７を回転させても良い。
【産業上の利用可能性】
【００３３】
本発明は、錠前や建具の分野で用いられる。
【符号の説明】
【００３４】
Ｘ…錠前、1…扉、２…錠箱、３…ダルマ、４…シリンダ錠、５…デッドボルト、６…筒状支持体、８…ケース、１１…周壁、１２…切欠部、１４…内部空間、１７…回転軸部材、１８、１９…軸部、２０…被嵌合部（回転軸部材の外端部）、２１…嵌合凹所、２５…係合突起、３１…操作レバー、３１ａ…基端部、３１ｂ…自由端部、３４…切欠係合部、３５…開口部、４０…タイミング調整バネ、４１…ロック片、４３…付勢手段、４５…ロック解消手段、４６…入力ボタン、４７…作動杆。
【図１】
2011179240.tif 000003
【図２】
2011179240.tif 000004
【図３】
2011179240.tif 000005
【図４】
2011179240.tif 000006
【図５】
2011179240.tif 000007
【図６】
2011179240.tif 000008
【図７】
2011179240.tif 000009
【図８】
2011179240.tif 000010
【図９】
2011179240.tif 000011
【図１０】
2011179240.tif 000012
【図１１】
2011179240.tif 000013
【図１２】
2011179240.tif 000014